(57)【要約】【課題】ＨＦＯ１１２３を含む作動媒体を用いた冷凍サイクル装置の信頼性を高める。【解決手段】圧縮機構部と電動機部４２と潤滑油とを収納した圧縮機４、凝縮器、膨張手段、蒸発器を有し、１，１，２−トリフルオロエチレン等の二重結合を有するエチレン系フッ化炭化水素を含む作動媒体を封入した冷凍サイクル装置であって、前記密圧縮機の電動機部の漏れ電流を検出する漏れ電流検出部１９と、前記漏れ電流検出部１９で検出した漏れ電流値が大きくなるのを抑制する漏れ電流抑制制御部２０とを備えた冷凍サイクル装置としてある。これにより、漏れ電流抑制制御部２０が電動機部の漏れ電流を抑制するので、漏れ電流が大きくなることによって起こる固定子巻線の絶縁被覆溶融によるレイヤーショートを防止し、不均化反応の発生を防止して安全性及び信頼性を向上させることができる。【選択図】図３
2020169782.tif 000002
【特許請求の範囲】
【請求項１】
圧縮機構部と電動機部と潤滑油とを収納した圧縮機、凝縮器、膨張手段、蒸発器を有し、１，１，２−トリフルオロエチレン等の二重結合を有するエチレン系フッ化炭化水素を含む作動媒体を封入した冷凍サイクル装置であって、前記圧縮機の電動機部の漏れ電流を検出する漏れ電流検出部と、前記漏れ電流検出部で検出した漏れ電流値が大きくなるのを抑制する漏れ電流抑制制御部とを備えた冷凍サイクル装置。
【請求項２】
漏れ電流抑制制御部は圧縮機の回転数を上昇させる構成とした請求項１記載の冷凍サイクル装置。
【請求項３】
前記漏れ電流抑制制御部は膨張手段を絞る構成とした請求項１記載の冷凍サイクル装置。
【発明の詳細な説明】
【技術分野】
【０００１】
本発明は、二重結合を有するエチレン系フッ化炭化水素を含む作動媒体を用いた冷凍サイクル装置に関する。
【背景技術】
【０００２】
一般に、冷凍サイクル装置は、圧縮機、必要に応じて四方弁、放熱器（または凝縮器）、キャピラリーチューブや膨張弁等の膨張手段、蒸発器、等を配管接続して冷凍サイクルを構成し、その内部に冷凍サイクル用作動媒体（冷媒または熱媒体）を循環させることにより、冷却または加熱作用を行っている。
【０００３】
これらの冷凍サイクル装置における冷凍サイクル用作動媒体としては、フロン類（フロン類はＲ○○またはＲ○○○と記すことが、米国ＡＳＨＲＡＥ３４規格により規定されている。以下、Ｒ○○またはＲ○○○と示す）と呼ばれるメタンまたはエタンから誘導されたハロゲン化炭化水素が知られている。
【０００４】
上記のような冷凍サイクル用作動媒体としては、Ｒ４１０Ａが多く用いられているが、Ｒ４１０Ａ冷媒の地球温暖化係数（ＧＷＰ）は２０９０と大きく、地球温暖化防止の観点から問題がある。
【０００５】
そこで、地球温暖化防止の観点からは、ＧＷＰの小さな作動媒体として、例えば、ＨＦＯ１１２３（１，１，２−トリフルオロエチレン）や、ＨＦＯ１１３２（１，２−ジフルオロエチレン）が注目されている（例えば、特許文献１または特許文献２参照）。
【先行技術文献】
【特許文献】
【０００６】
【特許文献１】特許第６１９２８０６号公報
【特許文献２】国際公開第２０１２／１５７７６５号
【発明の概要】
【発明が解決しようとする課題】
【０００７】
しかしながら、ＨＦＯ１１２３（１，１，２−トリフルオロエチレン）や、ＨＦＯ１１３２（１，２−ジフルオロエチレン）等の二重結合を有するエチレン系フッ化炭化水素を含む作動媒体は、Ｒ４１０Ａなどの従来の作動媒体に比べて安定性が低く、これに起因して、不均化反応と呼ばれる自己分解反応およびこの自己分解反応に続く重合反応（以下、不均化反応と記載する。）が生じやすい。不均化反応とは、狭義では自己分解反応のみであり、広義では自己分解反応およびこの自己分解反応に続く重合反応である。
【０００８】
不均化反応は大きな熱放出を伴って圧力上昇するため、圧縮機や冷凍サイクル装置の信頼性を低下させる恐れがある。このため、ＨＦＯ１１２３やＨＦＯ１１３２を圧縮機や冷凍サイクル装置に用いる場合には、この不均化反応を抑制する必要がある。
【０００９】
このような不均化反応は、圧縮機内にて、高エネルギーが付加されると、これが起点となって発生する。
【００１０】
上記高エネルギーは、圧縮機内の電動機の固定子を構成する固定子巻線の導線同士で生じるレイヤーショートが挙げられるが、このレイヤーショートは電動機が何らかの原因でロック異常を起こしているのにもかかわらず電力供給が継続されると、電動機への電力供給が過剰になって固定子巻線の絶縁被覆を溶融させるなどして生じる。そこで出願人はこのような電力過剰供給に起因するレイヤーショートでの不均化反応を抑制する技術を幾つか提案している。
【００１１】
しかしながら、本発明者らが更に不均化反応抑制の検討を続けていると、次のような場合にもレイヤーショートが発生し不均化反応が引き起こされる可能性がある、という知見を得た。すなわち、前記ＨＦＯ１１２３（１，１，２−トリフルオロエチレン）やＨＦＯ１１３２（１，２−ジフルオロエチレン）等の作動媒体は、従来のＲ４１０Ａ等の作動媒体に比べ圧縮機内に設けられている潤滑油に溶けやすい。そのため、圧縮機内に溜まる作動媒体が潤滑油に溶け込んで作動媒体と潤滑油との混合液の量が多くなりやすく、この混合液が多くなると固定子巻線の一部が前記作動媒体と潤滑油の混合液中に浸漬するようになる。前記固定子巻線の一部が作動媒体と潤滑油の混合液中に浸漬すると、混合液はガス化した作動媒体と潤滑油の混合ガスに比べ誘電率が高いため電動機に流れる漏れ電流が大きくなって固定子巻線の絶縁被覆溶融が進む。例えば、絶縁被覆の小さな傷、すなわちレイヤーショートが発生しない程度の大きさで存在していたごくわずかな傷部分の被覆厚さが溶融により薄くなっていく。そして、この絶縁被覆の溶融が進行すると、終には固定子巻線の導線同士でレイヤーショートが生じ、不均化反応を引き起こす。また、前記固定子巻線の一部が混合液中に浸漬して電動機に流れる漏れ電流が設計値を超える極端に大きな場合には、レイヤーショートが発生して、固定子巻線の層間に異常発熱が起こり、この発熱によって不均化反応を引き起こす。
【００１２】
本発明はこのような知見に基づきなしたもので、漏れ電流に起因する不均化反応の発生を抑制して冷凍サイクル装置の信頼性を高めることを目的としたものである。
【課題を解決するための手段】
【００１３】
本発明は、上記目的を達成するため、圧縮機構部と電動機部と潤滑油とを収納した圧縮機、凝縮器、膨張手段、蒸発器を有し、１，１，２−トリフルオロエチレン等の二重結合を有するエチレン系フッ化炭化水素を含む作動媒体を封入した冷凍サイクル装置であって、前記圧縮機の電動機部の漏れ電流を検出する漏れ電流検出部と、前記漏れ電流検出部で検出した漏れ電流値が大きくなるのを抑制する漏れ電流抑制制御部とを設けた冷凍サイクル構成としてある。
【００１４】
これにより、漏れ電流抑制制御部が電動機部の漏れ電流を抑制するので、漏れ電流が大きくなることによって生じる固定子巻線の絶縁被覆溶融によるレイヤーショートを防止し、不均化反応の発生を防止することができる。
【発明の効果】
【００１５】
本発明は、上記構成により、漏れ電流が大きくなることによって生じる不均化反応の発生を抑制し、二重結合を有するエチレン系フッ化炭化水素を含む作動媒体を用いた安全で信頼性の高い冷凍サイクル装置を提供することができる。
【図面の簡単な説明】
【００１６】
【図１】本発明の実施の形態１に係る冷凍サイクル装置としての空気調和機を示す概略構成図
【図２】同実施の形態１に係る空気調和機に用いた圧縮機を示す断面図
【図３】同実施の形態１に係る空気調和機の圧縮機駆動制御部の制御ブロック図
【図４】本発明の実施の形態２に係る空気調和機の圧縮機駆動制御部の制御ブロック図
【発明を実施するための形態】
【００１７】
第１の発明は、圧縮機構部と電動機部と潤滑油とを収納した圧縮機、凝縮器、膨張手段、蒸発器を有し、１，１，２−トリフルオロエチレン等の二重結合を有するエチレン系フッ化炭化水素を含む作動媒体を封入した冷凍サイクル装置であって、前記圧縮機の電動機部の漏れ電流を検出する漏れ電流検出部と、前記漏れ電流検出部で検出した漏れ電流値が大きくなるのを抑制する漏れ電流抑制制御部とを設けた冷凍サイクル構成としてある。
【００１８】
これにより、漏れ電流抑制制御部が電動機部の漏れ電流を抑制するので、漏れ電流が大きくなることによって生じる固定子巻線の絶縁被覆溶融によるレイヤーショートを防止し、不均化反応の発生を防止することができる。
【００１９】
第２の発明は、第１の発明において、前記漏れ電流抑制制御部は圧縮機の回転数を上昇させる構成としてある。
【００２０】
この圧縮機の回転数上昇によって圧縮機内から冷凍サイクル中に吐出する作動媒体及び潤滑油を多くして圧縮機内に溜まる作動媒体と潤滑油の混合液量を少なくし固定子巻線が混合液中に浸漬するのを防止して漏れ電流を小さくすることができる。これにより、漏れ電流が大きくなることによる固定子巻線の絶縁被覆溶融を抑制してレイヤーショートを防止し、当該レイヤーショートによる不均化反応の発生を防止することができる。
【００２１】
第３の発明は、第１の発明において、前記漏れ電流抑制制御部は膨張手段を絞る構成としてある。
【００２２】
この膨張手段を絞ることによって、圧縮機から冷凍サイクル中に吐出する作動媒体及び潤滑油を多くして圧縮機内に溜まる作動媒体と潤滑油の混合液量を少なくすることができる。これにより、固定子巻線が混合液中に浸漬するのを防止して漏れ電流を小さくでき、漏れ電流が大きくなることによる固定子巻線の絶縁被覆溶融を抑制してレイヤーショートを防止し、当該レイヤーショートによる不均化反応の発生を防止することができる。
【００２３】
以下、本発明の実施の形態について空気調和機に適用した場合を例にして図面を参照しながら説明する。なお、この実施の形態によって本発明が限定されるものではない。
【００２４】
（実施の形態１）
図１は本発明の実施の形態１に係る空気調和機の概略構成図である。
【００２５】
本実施の形態の空気調和機１は、室外機２および室内機３、並びにこれらを接続する接続配管９を備えており、室外機２は圧縮機４、室外熱交換器５（凝縮器或いは蒸発器）および膨張手段６を備え、室内機３は室内熱交換器７（蒸発器或いは凝縮器）を備えている。
【００２６】
室外機２の室外熱交換器５と室内機３の室内熱交換器７とは、接続配管９で環状に接続され、これにより冷凍サイクルが形成されている。具体的には、圧縮機４、室内機３の室内熱交換器７、膨張手段６、室外機２の室外熱交換器５の順で接続配管９により環状に接続して冷凍サイクルが形成されている。また、圧縮機４、室外熱交換器５および室内熱交換器７を接続する接続配管９には、冷暖房切換用の四方弁８が設けられている。
【００２７】
なお、室外機２は、送風機１２、図示しないアキュームレータ、温度センサ等を備えている。また、室内機３は、送風ファン１１、図示しない温度センサ、操作部等を備えている。
【００２８】
室内機３が備える室内熱交換器７は、送風ファン１１により室内機３の内部に吸い込まれた室内空気と、室内熱交換器７の内部を流れる作動媒体（以下、冷媒と称す）との間で熱交換を行う。室内機３は、暖房時には熱交換により暖められた空気を室内に送風し、冷房時には熱交換により冷却された空気を室内に送風する。室外機２が備える室外熱交換器５は、送風機１２により室外機２の内部に吸い込まれた外気と室外熱交換器５の内部を流れる冷媒との間で熱交換を行う。
【００２９】
冷凍サイクル中にはＨＦＯ１１２３（１，１，２−トリフルオロエチレン）、あるいはＨＦＯ１１３２（１，２−ジフルオロエチレン）等の二重結合を有するエチレン系フッ化炭化水素を含む冷媒、この例では１，１，２−トリフルオロエチレン（ＨＦＯ１１２３）を含む冷媒が封入されており、圧縮機４がこの冷媒を圧縮して冷凍サイクル中を循環させている。この圧縮機４は内部に潤滑油が封入してある。
【００３０】
なお、室内機３および室外機２の具体的な構成、あるいは、室内熱交換器７または室外熱交換器５、圧縮機４、膨張手段６、四方弁８、送風ファン１１、送風機１２、図示しない温度センサ、操作部、アキュームレータ、その他の弁装置、ストレーナ等の具体的な構成は特に限定されず、公知の構成を好適に用いることができる。
【００３１】
図２は上記空気調和機に用いられる圧縮機４を示し、この圧縮機４は、本実施の形態では密閉型のロータリ式圧縮機によって構成されており、密閉容器４１の内部に、電動機部４２と圧縮機構部４３が収納され、内部は高温高圧の冷媒と潤滑油で満たされ、底部は潤滑油と冷媒の混合液を溜める貯油部４４となっている。
【００３２】
電動機部４２は、所謂ブラシレス・モータであり、圧縮機構部４３のクランクシャフト４５に固定された回転子４６と、回転子４６の周囲に設けられた固定子４７とを備えている。
【００３３】
回転子４６は、回転子鉄心に永久磁石を装着一体化して構成されている。また、固定子４７は、固定子鉄心に絶縁紙４９を介して固定子巻線５０を集中あるいは分散巻し構成されている。
【００３４】
上記固定子巻線５０は絶縁部材によって被覆されており、その絶縁被覆部材は、例えば、ポリエチレンテレフタレート（ＰＥＴ）、ポリエチレンナフタレート（ＰＥＮ）、アラミドポリマー、ポリフェニレンサルファイド（ＰＰＳ）等々で構成されている。
【００３５】
また、固定子巻線５０からはリード線５１が引き出されており、リード線５１の他端は給電ターミナル５２に接続されている。給電ターミナル５２は、３つの端子を備え、それぞれの端子は、後述するインバータ式の圧縮機駆動制御部１５（図３参照）に接続されている。
【００３６】
圧縮機構部４３は、圧縮室５３を形成するシリンダ５４と、シリンダ５４内の圧縮室５３に配置したローリングピストン５５を有している。ローリングピストン５５は、前記クランクシャフト４５の回転によりベーン（図示せず）に当接しながら圧縮室内で回転運動し、吸入管５６から冷媒を吸引して圧縮する。
【００３７】
圧縮した冷媒は、吐出マフラー５７から密閉容器４１内の吐出媒体空間５８に吐出され、吐出管５９から圧縮機構部４３の外へと吐出される。
【００３８】
なお、この圧縮機構部４３はシリンダ５４を上下二段有するものとしているが、これはシリンダ５４が一段だけのものであってもよいものである。
【００３９】
また、この圧縮機４は、上記圧縮室５３での液圧縮を防止するため、吸入管５６にはアキュームレータ６０が設けられている。アキュームレータ６０は、冷媒を気液分離し、冷媒ガスだけを吸入管５６に導く。
【００４０】
図３は圧縮機駆動制御部１５を示し、この圧縮機駆動制御部１５は、外部電源１６からの電源をコンバータ１７を介してインバータ１８に供給し、回転子４６に回転磁界が発生するよう固定子巻線５０に電流を流している。回転磁界は、インバータ１８により可変され、室温と設定温度との差に基づいて可変制御されるとともに、圧縮機４の運転開始直後等には高速で、安定運転時等には低速で運転可能となっている。また、この圧縮機駆動制御部１５は、電動機部４２の漏れ電流を検出する漏れ電流検出部１９と、前記漏れ電流検出部１９で検出した電流値が所定値を超えるとインバータ１８を制御して電動機部４２の回転数、すなわち圧縮機４の回転数を上昇させる漏れ電流抑制制御部２０とを備えている。なお、上記漏れ電流検出部１９は零相変流器１９１と電圧計１９２とから構成されているが、これに限定されず周知のものを用いればよいものである。
【００４１】
次に上記のように構成した空気調和機の作用効果について以下説明する。
【００４２】
まず、空気調和機の基本的な動作を簡単に説明しておく。
【００４３】
暖房運転では、圧縮機４はガス冷媒を圧縮して吐出し、これによりガス冷媒は四方弁８を介して室内機３の室内熱交換器７に送出される。室内熱交換器７では、室内空気との熱交換によりガス冷媒が凝縮して液化する。液化した液冷媒は、膨張手段６により減圧されて気液二相冷媒となり、室外機２の室外熱交換器５に送出される。室外熱交換器５は外気と気液二相冷媒とを熱交換するので、気液二相冷媒は蒸発してガス冷媒となり、圧縮機４に戻る。圧縮機４はガス冷媒を圧縮して四方弁８を介して再び室内機３の室内熱交換器７に吐出する。
【００４４】
冷房運転または除湿運転では、室外機２の圧縮機４はガス冷媒を圧縮して吐出し、これによりガス冷媒は四方弁８を介して室外機２の室外熱交換器５に送出される。室外熱交換器５は外気とガス冷媒とを熱交換するので、ガス冷媒は凝縮して液化する。液化した液冷媒は膨張手段６により減圧され、室内機３の室内熱交換器７に送出される。室内熱交換器７では、室内空気との熱交換により液冷媒が蒸発してガス冷媒となる。このガス冷媒は、四方弁８、吸入配管１０を介して室外機２の圧縮機４に戻る。圧縮機４はガス冷媒を圧縮して四方弁８を介して再び室外熱交換器５に吐出する。
【００４５】
次に、不均化反応の発生を防止する動作と効果について説明する。
【００４６】
圧縮機４が駆動されると、圧縮機内の冷媒が圧縮されて前記した如く冷凍サイクル中の室外熱交換器５（凝縮器或いは蒸発器）および室内熱交換器７（蒸発器或いは凝縮器）へと吐出循環され、暖房もしくは冷房が行われ、冷媒は再び圧縮機４に吸引され圧縮される。
【００４７】
この時、圧縮機４から吐出する冷媒量が少ないときには圧縮機４内に溜まる冷媒と潤滑油の混合液の量が多くなり、電動機部４２の固定子巻線５０の下部が混合液に浸漬するようになる。
【００４８】
そして、上記電動機部４２の固定子巻線５０が混合液に浸漬すると、既述したように固定子巻線５０には混合液を介して漏れ電流が流れるようになって漏れ電流の電流値が大きなものとなり始める。
【００４９】
ここで、本実施の形態の冷凍サイクル装置では、上記漏れ電流は漏れ電流検出部１９によって常時検出されて漏れ電流抑制制御部２０に出力されている。
【００５０】
そして、漏れ電流抑制制御部２０は上記漏れ電流検出部１９が検出する電流値、すなわち漏れ電流の電流値が所定値より大きくなると、インバータ１８を介して圧縮機４の回転数を上昇させる。
【００５１】
これにより、圧縮機４から冷凍サイクルに吐出される冷媒及び潤滑油の量が多くなり、圧縮機４内に溜まる冷媒と潤滑油の混合液が少なくなって固定子巻線５０の混合液への浸漬が解除される。
【００５２】
その結果、混合液を介して固定子巻線１７間に流れていた漏れ電流が小さくなり、漏れ電流による固定子巻線５０の絶縁被覆溶融を抑制できる。
【００５３】
したがって、長時間使用していても固定子巻線５０の絶縁被覆溶融を抑制でき、固定子巻線５０の絶縁被覆溶融によるレイヤーショートの発生を防止して不均化反応の発生を防止することができる。
（実施の形態２）
図４は実施の形態２における冷凍サイクル装置の圧縮機駆動制御部を示すブロック図である。
【００５４】
本実施の形態では、漏れ電流抑制制御部２０は漏れ電流検出部１９で検出した電流値が所定値を超えると冷凍サイクル中の膨張弁６を絞る構成としてある。
【００５５】
この膨張弁６を絞ることによって、圧縮機４内から冷凍サイクル中に吐出される冷媒及び潤滑油が多くなって圧縮機４内に溜まる冷媒と潤滑油の混合液量が少なくなる。
【００５６】
これにより、固定子巻線５０が混合液に浸漬するのを防止して漏れ電流を小さくすることができ、漏れ電流が大きくなることによる固定子巻線５０の絶縁被覆溶融を抑制してレイヤーショートを防止し、当該レイヤーショートによる不均化反応の発生を防止することができる。
【００５７】
（実施の形態３）
本実施の形態は圧縮機４の冷媒に不均化反応を抑制する不均化抑制剤を設け、不均化反応の発生を更に確実に防止できるようにしたものである。
【００５８】
すなわち、本発明者らが、鋭意検討したところ、冷媒として用いた１，１，２−トリフルオロエチレンの不均化反応を誘発する活性ラジカルは、主としてフッ素ラジカル（Ｆラジカル）、並びに、トリフルオロメチルラジカル（ＣＦ３  ラジカル）、ジフルオロメチレンラジカル（ＣＦ２  ラジカル）等のラジカルであることが明らかとなった。
【００５９】
そこで、本実施の形態では、Ｆラジカル、ＣＦ３  ラジカル、ＣＦ２ラジカル等を効率よく捕捉することが可能な物質（不均化抑制剤）を冷媒に添加してある。
【００６０】
例えば、上記不均化抑制剤は、次式（１）に示す構造を有するハロエタン（ＸがＦのみの場合を除く）である。
【００６１】
Ｃ２ＨｍＸｎ  ・・・  （１）
（ただし、式（１）におけるＸは、Ｆ，Ｃｌ，Ｂｒ，Ｉからなる群より選択されるハロゲン原子であり、ｍは０以上の整数であるとともにｎは１以上の整数であり、さらに、ｍおよびｎの和は６であり、ｎが２以上のときＸは同一または異なる種類のハロゲン原子である。）
本実施の形態で示すように１，１，２−トリフルオロエチレンを含有する冷媒成分に上記した不均化抑制剤を添加することにより、前記式（１）に示すハロエタンが、不均化反応の連鎖分岐反応を引き起こすフッ素ラジカル、フルオロメチルラジカル、およびフルオロメチレンラジカル等のラジカルを良好に捕捉する。
【００６２】
そのため、１，１，２−トリフルオロエチレンの不均化反応を有効に抑制したり、不均化反応の急激な進行を緩和したりすることができる。その結果、冷媒およびこれを用いた冷凍サイクル装置の信頼性をより確実に向上させることができる。
【００６３】
つまり、漏れ電流抑制制御部２０と不均化抑制剤とによる多重抑制作用によって不均化反応の発生をより確実に防止でき、より安全性を高め信頼性を向上させることができる。
【００６４】
また、上記不均化反応を抑制する不均化抑制剤としては、更に次のようなものがあげられる。
【００６５】
すなわち、炭素数２〜５の飽和炭化水素と、炭素数１または２であってハロゲン原子が全てフッ素の場合を除くハロアルカンと、からなるものである。
【００６６】
前記不均化抑制剤によれば、飽和炭化水素およびハロアルカンが、１，１，２−トリフルオロエチレンの不均化反応で生じるフッ素ラジカル、フルオロメチルラジカル、およびフルオロメチレンラジカル等のラジカルを良好に捕捉することができる。
【００６７】
そのため、１，１，２−トリフルオロエチレンの不均化反応を有効に抑制したり、不均化反応の急激な進行を緩和したりすることができる。しかも、飽和炭化水素単独、または、ハロアルカン単独を不均化抑制剤として添加する場合よりも少ない量で不均化反応の抑制または進行の緩和を実現することも可能となる。その結果、冷媒およびこれを用いた冷凍サイクル装置の信頼性を向上させることができる。
【００６８】
以上、本発明に係る冷凍サイクル装置について、上記実施の形態を用いて説明したが、本発明はこれに限定されるものではない。
【００６９】
例えば、上記各実施の形態では、圧縮機４としてロータリ式圧縮機を提示したが、これは、スクロール式圧縮機、レシプロ式圧縮機などの容積式圧縮機、もしくは、遠心式圧縮機等、いずれの圧縮機であってもよいものである。また、対象となる圧縮機は能力固定型でも能力可変型のどちらでも良い。
【００７０】
また、本実施の形態では作動媒体としてＨＦＯ１１２３を含む作動媒体を例として説明したが、作動媒体は、二重結合を含むエチレン系フッ化炭化水素を含めばどのようなものであってもよく同様の効果が得られる。この二重結合を含むエチレン系フッ化炭化水素の例としては他にＨＦＯ１１３２などが存在する。
【００７１】
また、本実施の形態においては、冷凍サイクル装置を空気調和機とした場合を例にして説明したが、これは圧縮機、凝縮器、膨張手段、および蒸発器等の構成要素が配管にて接続された冷凍サイクル装置であれば具体的な適用例は特に限定されず、例えば、冷蔵庫（家庭用、業務用）、除湿器、ショーケース、製氷機、ヒートポンプ式給湯機、ヒートポンプ式洗濯乾燥機、自動販売機等であってもよいものである。
【００７２】
つまり、今回開示した実施の形態はすべての点で例示であって制限的なものではないと考えられるべきであり、本発明の範囲は特許請求の範囲によって示され、特許請求の範囲と均等の意味及び範囲内でのすべての変更が含まれるものである。
【産業上の利用可能性】
【００７３】
本発明は、上記したように、漏れ電流が大きくなることによって起こる固定子巻線の絶縁被覆溶融によるレイヤーショートを防止し、ＨＦＯ１１２３等を含む作動媒体を用いた冷凍サイクル装置の信頼性を向上させることができる。したがって、住居及び業務用の各種空気調和機、カーエアコン、給湯器、冷凍冷蔵庫、ショーケース、除湿機等の用途に幅広く適用することができる。
【符号の説明】
【００７４】
１  空気調和機
２  室外機
３  室内機
４  圧縮機
５  室外熱交換器（凝縮器或いは蒸発器）
６  膨張手段（膨張弁）
７  室内熱交換器（蒸発器或いは凝縮器）
８  四方弁
９  接続配管
１０  吸入配管
１１  送風ファン
１２  送風機
１５  圧縮機駆動制御部
１６  外部電源
１７  コンバータ
１８  インバータ
１９  漏れ電流検出部
２０  漏れ電流抑制制御部
４１  密閉容器
４２  電動機部
４３  圧縮機構部
４４  貯油部
４５  クランクシャフト
４６  回転子
４７  固定子
４９  絶縁紙
５０  固定子巻線
５１  リード線
５２  給電ターミナル
５３  圧縮室
５４  シリンダ
５５  ローリングピストン
５６  吸入管
５７  吐出マフラー
５８  吐出媒体空間
５９  吐出管
６０  アキュームレータ
【図１】
2020169782.tif 000003
【図２】
2020169782.tif 000004
【図３】
2020169782.tif 000005
【図４】
2020169782.tif 000006